(57)【要約】【課題】可動パネルの先端部から基端部にかけて複数のキャスターを配置しながら、可動パネルの展開方向と脚杆の延伸方向とが交差する場合にも、可動パネルをスムーズに開閉可能なパーティションを提供する。【解決手段】ベース体５の脚体１０は、ベース幅方向Ｘに延びる基部１１と、基部１１のベース幅方向Ｘの両端部からベース奥行方向Ｙに延びる脚杆１２を備えている。各可動パネル３０Ａ，３０Ｂは、相互に折り畳み可能に連結される複数の単位パネル４０Ａ〜４０Ｅを備えている。第一パネル４０Ａにおける基端回動軸線Ｃ１から脚杆１２の延出先端部までの距離よりも離間した位置、および第二パネル４０Ｂにおける先端部を避けた位置、の少なくとも一方にキャスター５５Ａが配置されている。【選択図】図７
2020070570.tif 000002
【特許請求の範囲】
【請求項１】
床上に置かれるベース体と、
前記ベース体が区画する収容領域に折り畳み状態で収容可能であり、かつ前記収容領域から引き出されて展開可能であり、さらに複数のキャスターによって床上を移動可能な可動パネルと、を備え、
前記ベース体は、床面に沿うように配置される脚体を備え、
前記脚体は、第一方向に延びる基部と、少なくとも前記基部の前記第一方向の一端部から前記第一方向と交差する第二方向に延びる脚杆と、を備え、
前記可動パネルは、相互に折り畳み可能に連結される複数の単位パネルを備え、
前記脚杆よりも前記基部側の領域を、前記可動パネルを折り畳み状態で収容可能な前記収容領域とし、前記脚杆よりも前記基部と反対側の領域を、前記可動パネルが展開可能な展開領域とし、
前記可動パネルの展開状態において、前記ベース体側を基端側とし、前記ベース体と反対側を先端側としたとき、
前記複数の単位パネルの内、最も基端側に位置する第一パネルの基端部は、前記ベース体のパネル支持部に、上下方向に沿う基端回動軸線を中心に回動可能に支持され、前記第一パネルの先端部には、前記第一パネルの先端側に隣接する第二パネルの基端部が、上下方向に沿う回動軸線を中心に回動可能に連結され、
前記第一パネルにおける前記基端回動軸線から前記脚杆の延出先端部までの距離よりも離間した位置、および前記第二パネルにおける先端部を避けた位置、の少なくとも一方にキャスターが配置されている、パーティション。
【請求項２】
前記第一パネルおよび前記第二パネルの何れか一方に一つのキャスターを設けている、請求項１に記載のパーティション。
【請求項３】
前記ベース体は、前記第一方向の端部であり前記脚杆を備える端部に、前記可動パネルの基端部を支持するパネル支持部を備えている、請求項１又は２に記載のパーティション。
【請求項４】
前記可動パネルの折り畳み状態において、前記複数の単位パネルは、蛇腹状に折り畳まれて前記第二方向で積層され、
前記可動パネルを構成する前記複数の単位パネルの数は奇数枚であり、
前記複数の単位パネルの内、最も基端側に位置する前記第一パネルは、前記第一方向で前記パネル支持部から前記基部側へ延び、最も先端側に位置する先端パネルは、前記第一方向で前記脚杆側から前記基部側へ延びている、請求項３に記載のパーティション。
【請求項５】
前記脚体は、前記第一方向に延びる前記基部としての接続杆と、前記接続杆の前記第一方向の両端部から前記第二方向に延びる一対の前記脚杆と、を備え、
前記可動パネルは、前記第一方向で一対設けられている、請求項１から４の何れか一項に記載のパーティション。
【請求項６】
前記接続杆の上方に、前記第一方向で前記接続杆の長さと同等の幅を有し、かつ前記可動パネルと同等の高さを有して上下方向に起立する背面パネルを備えている、請求項５に記載のパーティション。
【発明の詳細な説明】
【技術分野】
【０００１】
本発明は、パーティションに関する。
【背景技術】
【０００２】
従来から、下記特許文献１に示されるように、折り畳み状態と展開状態との間で位置を変化させることが可能な可動パネルと、可動パネルの下端部に設けられたキャスターと、を備えたパーティションが知られている。
【先行技術文献】
【特許文献】
【０００３】
【特許文献１】特表２０１３−５２５６３８号公報
【発明の概要】
【発明が解決しようとする課題】
【０００４】
ところで、可動パネルを支持するベース体は、床面に沿うように配置される脚体を備えている。脚体は、ベース体の周囲に広がるように脚杆を延ばし、ベース体ひいてはパーティションを安定させている。
脚杆は、脚杆延伸方向に可動パネルを引き出す構成であれば、可動パネルのキャスターが脚杆に干渉することはほとんど発生しない。しかし、可動パネルを両開きにする等、可動パネルを大きく展開する場合には、脚杆を越えて可動パネルを延ばす（脚杆延伸方向とパネル引き出し方向とが交差する）ことがある。また、可動パネルの大型化に伴い、可動パネルの展開状態の先端部のみならず、展開状態の基端側にもキャスターを配置することが望ましい。また、キャスターを増設すると、脚杆にキャスターが干渉しやすくなるため、キャスターの干渉を避けてパーティションをスムーズに開閉可能とする構成が望まれている。
【０００５】
本発明はこのような事情を考慮してなされたもので、可動パネルの先端部から基端部にかけて複数のキャスターを配置しながら、可動パネルの展開方向と脚杆の延伸方向とが交差する場合にも、可動パネルをスムーズに開閉可能なパーティションを提供することを目的とする。
【課題を解決するための手段】
【０００６】
上記課題を解決するために、本発明の第１態様に係るパーティションは、床上に置かれるベース体と、前記ベース体が区画する収容領域に折り畳み状態で収容可能であり、かつ前記収容領域から引き出されて展開可能であり、さらに複数のキャスターによって床上を移動可能な可動パネルと、を備え、前記ベース体は、床面に沿うように配置される脚体を備え、前記脚体は、第一方向に延びる基部と、少なくとも前記基部の前記第一方向の一端部から前記第一方向と交差する第二方向に延びる脚杆と、を備え、前記可動パネルは、相互に折り畳み可能に連結される複数の単位パネルを備え、前記脚杆よりも前記基部側の領域を、前記可動パネルを折り畳み状態で収容可能な前記収容領域とし、前記脚杆よりも前記基部と反対側の領域を、前記可動パネルが展開可能な展開領域とし、前記可動パネルの展開状態において、前記ベース体側を基端側とし、前記ベース体と反対側を先端側としたとき、前記複数の単位パネルの内、最も基端側に位置する第一パネルの基端部は、前記ベース体のパネル支持部に、上下方向に沿う基端回動軸線を中心に回動可能に支持され、前記第一パネルの先端部には、前記第一パネルの先端側に隣接する第二パネルの基端部が、上下方向に沿う回動軸線を中心に回動可能に連結され、前記第一パネルにおける前記基端回動軸線から前記脚杆の延出先端部までの距離よりも離間した位置、および前記第二パネルにおける先端部を避けた位置、の少なくとも一方にキャスターが配置されている。
【０００７】
上記態様によれば、第一パネルにキャスターを設ける場合、基端回動軸線からキャスターまでの距離が、基端回動軸線から脚杆の延出先端までの距離よりも大となるように、可動パネルにキャスターを配置するので、第一パネルが基端回動軸線を中心に回動した際に、キャスターが脚杆に干渉しない配置となる。第二パネルにキャスターを設ける場合、第二パネルの先端部は、可動パネルの展開操作時（開操作時）および折り畳み操作時（閉操作時）の何れにも、脚杆の延出先端部に接近することから、第二パネルの先端部を避けてキャスターを配置することで、可動パネルの展開時および折り畳み時の何れにも、キャスターが脚杆に干渉しない配置となる。
このように、可動パネルを開閉する際にキャスターと脚杆との干渉を避けることが可能となるので、可動パネルの先端部から基端部にかけて複数のキャスターを配置しながら、可動パネルの展開方向と脚杆とが交差する場合にも、可動パネルをスムーズに開閉可能なパーティションを提供することができる。
【０００８】
上記態様において、前記第一パネルおよび前記第二パネルの何れか一方に一つのキャスターを設けてもよい。
【０００９】
この場合、脚杆に近く当たりやすい第１パネル及び第２パネルのキャスター数を減らし、可動パネルの開閉時にキャスターが脚杆に当たり難くなる。一方、可動パネルにおけるベース体側の第一パネル及び第二パネルのどちらかにキャスターを設けることで、可動パネルの操作部から遠いベース体側の動作が安定する。また、ベース体のパネル支持部に可動パネルから入力される荷重が小さくなり、ベース体の損耗を小さくすることが出来る。
【００１０】
上記態様において、前記ベース体は、前記第一方向の端部であり前記脚杆を備える端部に、前記可動パネルの基端部を支持するパネル支持部を備えてもよい。
【００１１】
この場合、パネル支持部が展開領域と収容領域との間に配置されるので、パーティションの使用時には可動パネルを脚杆よりもベース体の外側に大きく展開し、パーティションの非使用時には可動パネルを第一方向で脚杆よりもベース体の内側にコンパクトに収容することができる。
【００１２】
上記態様において、前記可動パネルの折り畳み状態において、前記複数の単位パネルは、蛇腹状に折り畳まれて前記第二方向で積層され、前記可動パネルを構成する前記複数の単位パネルの数は奇数枚であり、前記複数の単位パネルの内、最も基端側に位置する前記第一パネルは、前記第一方向で前記パネル支持部から前記基部側へ延び、最も先端側に位置する先端パネルは、前記第一方向で前記脚杆側から前記基部側へ延びてもよい。
【００１３】
この場合、可動パネルを構成する奇数枚の単位パネルは、蛇腹状に折り畳まれた際、第一パネルおよび先端パネルの何れも、脚杆側から基部側へ延びる配置となる。この可動パネルを展開すると、第一パネルから先端パネルまでの全ての単位パネルが、ベース体の脚杆よりも外側に広がる展開領域へ延びる配置が可能であり、可動パネルが大きく展開可能となる。可動パネルを大きく展開した状態で安定させるためには、可動パネルの先端部にキャスターを設けることが望ましい。このとき、複数の単位パネルの数が奇数枚であれば、可動パネルの先端部のキャスターは、可動パネルの折り畳み状態において、先端パネルにおける脚体から離れた先端部に配置される。このため、可動パネルを展開する際に先端部のキャスターが脚杆に干渉し難くなる。
【００１４】
上記態様において、前記脚体は、前記第一方向に延びる前記基部としての接続杆と、前記接続杆の前記第一方向の両端部から前記第二方向に延びる一対の前記脚杆と、を備え、前記可動パネルは、前記第一方向で一対設けられてもよい。
【００１５】
この場合、２本の脚杆を備える脚体の第一方向両側から、一対の可動パネルをそれぞれ展開することが可能であり、かつ２本の脚杆の間に各可動パネルを折り畳んで収容可能となるため、パーティションの使用時には各可動パネルを大きく展開し、パーティションの非使用時には各可動パネルをコンパクトに収容することができる。
【００１６】
上記態様において、前記接続杆の上方に、前記第一方向で前記接続杆の長さと同等の幅を有し、かつ前記可動パネルと同等の高さを有して上下方向に起立する背面パネルを備えてもよい。
【００１７】
この場合、各可動パネルを展開した際、２つの展開された可動パネルの間に、これらと同等高さの背面パネルが配置されるため、全体として第一方向に長い距離で仕切り（目隠し）を設けることが可能となり、利便性を向上させることができる。
【発明の効果】
【００１８】
本発明によれば、可動パネルの先端部から基端部にかけて複数のキャスターを配置しながら、可動パネルの展開方向と脚杆の延伸方向とが交差する場合にも、可動パネルをスムーズに開閉可能なパーティションを提供することができる。
【図面の簡単な説明】
【００１９】
【図１】実施形態に係るパーティションを含む什器システムの斜視図である。
【図２】上記パーティションの可動パネルを展開した状態の上面図である。
【図３】上記パーティションの可動パネルを展開した状態の正面図である。
【図４】上記パーティションの可動パネルを折り畳んだ状態の上面図である。
【図５】上記パーティションの可動パネルを折り畳んだ状態の正面図である。
【図６】上記パーティションの可動パネルを折り畳んだ状態の斜視図である。
【図７】上記パーティションの一方の可動パネルを展開し他方の可動パネルを折り畳んだ状態の上面図である。
【図８】上記パーティションの可動パネルを折り畳み状態から展開する際の第一の作用を示す上面図である。
【図９】上記パーティションの可動パネルを折り畳み状態から展開する際の第二の作用を示す上面図である。
【図１０】上記パーティションの可動パネルを折り畳み状態から展開する際の第三の作用を示す上面図である。
【図１１】上記パーティションの可動パネルを折り畳み状態から展開する際の第四の作用を示す上面図である。
【図１２】上記パーティションの可動パネルを展開状態から折り畳む際の第一の作用を示す上面図である。
【図１３】上記パーティションの可動パネルを展開状態から折り畳む際の第二の作用を示す上面図である。
【図１４】実施形態の第一の変形例を示す図７に相当する上面図である。
【図１５】実施形態の第二の変形例を示す図７に相当する上面図である。
【図１６】実施形態の第三の変形例で可動パネルを折り畳んだ状態を示す上面図である。
【図１７】実施形態の第三の変形例で可動パネルを展開した状態を示す上面図である。
【発明を実施するための形態】
【００２０】
以下、本実施形態のパーティション１について図面を参照して説明する。
図１は、本実施形態のパーティション１を含んで半個室を形成する什器システムＳの斜視図である。図１では、什器システムＳの一例として、病室のベッドＢの周囲をパーティション１および一対のサイドパーティション１ｓで囲んだ例を示している。
【００２１】
什器システムＳにおいて、ベッドＢの左右側方の離間位置には、それぞれサイドパーティション１ｓが配置されている。
サイドパーティション１ｓは、床上に置かれるベース体５ｓと、ベース体５ｓの内側に区画される収容領域に折り畳み状態で収容可能であり、かつ前記収容領域から引き出されて展開可能であり、さらに複数のキャスター５５ｓによって床上を移動可能な可動パネル３０ｓと、を備えている。
【００２２】
ベース体５ｓは、水平な床面Ｆに沿うように配置される脚体１０ｓを備えている。脚体１０ｓは、ベース幅方向（第一方向、図中矢印Ｘｓで示す）に延びる基部（接続杆）１１ｓと、基部１１ｓのベース幅方向Ｘｓの両端部からベース幅方向Ｘｓと交差（直交）するベース奥行方向（第二方向、図中矢印Ｙｓで示す）に延びる一対の脚杆１２ｓと、を備えている。各脚杆１２ｓの延出方向両端部には、それぞれ脚用キャスター１３ｓが設けられている。一対の脚杆１２ｓは、ベース体５ｓにおけるベース幅方向Ｘｓの両端部に設けられるといえる。
【００２３】
基部１１ｓの長さ方向中央部の上方には、上下方向に沿う支柱２０ｓが起立している。支柱２０ｓの上下端部には、可動パネル３０ｓの基端部の上下端部を支持する上下パネル支持部２２ｓがそれぞれ設けられている。
【００２４】
ベース体５ｓは、ベース幅方向ＸｓをベッドＢの左右方向に向けて配置されている。基部１１ｓよりもベース奥行方向一側（ベッドＢの足側）で左右脚杆１２ｓ間に位置する領域は、折り畳み状態の可動パネル３０ｓを収容する収容領域とされている。収容領域よりもベース奥行方向一側（基部１１ｓと反対側）に位置する領域は、ベース奥行方向（脚杆延伸方向）に可動パネル３０ｓを引き出すように展開させる展開領域とされている。以下、可動パネル３０ｓの展開状態において、ベース奥行方向Ｙのベース体５ｓ側を可動パネル３０ｓおよび各単位パネル４０ｓの基端側、ベース奥行方向Ｙのベース体５ｓと反対側を可動パネル３０ｓおよび各単位パネル４０ｓの先端側とする。
【００２５】
可動パネル３０ｓは、上下方向に起立する複数の単位パネル４０ｓを備えている。複数の単位パネル４０ｓは、上下方向から見て蛇腹状に屈伸動可能に連結されている。複数の単位パネル４０ｓの内の隣接するパネル同士は、実質的に、上下方向に沿う回動軸線を中心に相対回動可能に連結されている。各単位パネル４０ｓは、正面視（パネル平面視）で上下方向に長い長方形状をなしている。各単位パネル４０ｓは、互いに同一部品とされている。各単位パネル４０ｓは、互いに同一の上下方向高さに配置されている。以下、各単位パネル４０ｓの正面視長方形状の短辺に沿う方向をパネル幅方向という。複数の単位パネル４０ｓは、可動パネル３０ｓの基端側から先端側へ順次並び、各単位パネル４０ｓがパネル幅方向で互いに隣接して配置されている。
【００２６】
可動パネル３０ｓは、折り畳み状態と展開状態との間で態様を変化可能である。
可動パネル３０ｓの折り畳み状態において、複数の単位パネル４０ｓは、蛇腹状に折り畳まれてベース奥行方向Ｙｓで積層された状態となる。このとき、各単位パネル４０ｓは、パネル幅方向をベース幅方向Ｘｓに向けている。
可動パネル３０ｓの展開状態において、複数の単位パネル４０ｓは、ベース奥行方向Ｙｓに並ぶように大きく展開される。このとき、各単位パネル４０ｓは、上下方向から見て鈍角状に屈曲して緩やかに蛇行しながら並び、全体的に概ねベース奥行方向Ｙｓに延びている。
【００２７】
複数の単位パネル４０ｓの内、最も基端側に位置する第一パネルは、基端部の上下端部がベース体５ｓの上下パネル支持部２２ｓに、上下方向に沿う基端回動軸を介して回動可能に支持されている。第一パネルの先端部には、第二パネルの基端部が、上下方向から見て屈伸動可能に連結されている（実質的に、上下方向に沿う回動軸線を中心に回動可能に連結されている。）。以下同様に、第三〜第七パネルが上下方向から見て屈伸動可能に連結されている。
【００２８】
複数の単位パネル４０ｓの内、最も先端側に位置する第七パネル（先端パネル）の先端部には、可動パネル３０ｓの折り畳み操作時（閉操作時）および展開操作時（開操作時）に使用者が把持する操作部としての取っ手４９ｓが設けられている。取っ手４９ｓは、可動パネル３０ｓの開閉動作を阻害しない位置であれば、先端パネルの先端部に限らず、基端部であったり基端部および先端部の間の中間部（中央部に限らない）に設けてもよい。なお、支柱２０ｓにも使用者が把持する取っ手２１ｓが設けられている。
【００２９】
什器システムＳにおいて、ベッドＢの足側の離間位置には、本実施形態のパーティション１が配置されている。
図２〜図７を併せて参照し、パーティション１は、床上に置かれるベース体５と、ベース体５の内側に区画される収容領域に折り畳み状態で収容可能であり、かつ前記収容領域から引き出されて展開可能であり、さらに複数のキャスター５５Ａ〜５５Ｃによって床上を移動可能な一対の可動パネル３０Ａ，３０Ｂと、を備えている。以下、ベッドＢ側から見て右側の可動パネル３０Ａを第一可動パネル３０Ａ、左側の可動パネル３０Ｂを第二可動パネル３０Ｂという。
【００３０】
ベース体５は、水平な床面Ｆに沿うように配置される脚体１０を備えている。脚体１０は、ベース幅方向（第一方向、図中矢印Ｘで示す）に延びる基部１１（以下、接続杆１１ということがある。）と、基部１１のベース幅方向Ｘの両端部からベース幅方向Ｘと交差（直交）するベース奥行方向（第二方向、図中矢印Ｙで示す）に延びる一対の脚杆１２と、を備えている。各脚杆１２の延出方向両端部には、それぞれ脚用キャスター１３が設けられている。一対の脚杆１２は、ベース体５におけるベース幅方向Ｘの両端部に設けられるといえる。
【００３１】
接続杆１１の長さ方向両端部の上方には、それぞれ上下方向に沿う支柱２０が起立している。一方の支柱２０の上下端部には、第一可動パネル３０Ａの基端部の上下端部を支持する上下パネル支持部２２がそれぞれ設けられている。他方の支柱２０の上下端部には、第二可動パネル３０Ｂの基端部の上下端部を支持する上下パネル支持部２２がそれぞれ設けられている。
【００３２】
ベース体５は、ベース幅方向ＸをベッドＢの左右方向に向けて配置されている。接続杆１１よりもベース奥行方向他側（ベッドＢの頭側）で左右脚杆１２間に位置する領域は、折り畳み状態の第一可動パネル３０Ａおよび第二可動パネル３０Ｂを収容する収容領域とされている。収容領域は、ベース幅方向Ｘに並ぶ第一収容領域および第二収容領域を形成している。
【００３３】
第一収容領域と同側の脚杆１２よりもベース幅方向外側（基部１１と反対側）に位置する領域は、脚杆１２よりもパネル幅方向外側に第一可動パネル３０Ａを引き出すように展開させる第一展開領域とされている。第二収容領域と同側の脚杆１２よりもベース幅方向外側（基部１１と反対側）に位置する領域は、脚杆１２よりもパネル幅方向外側に第二可動パネル３０Ｂを引き出すように展開させる第二展開領域とされている。
【００３４】
以下、各可動パネル３０Ａ，３０Ｂの展開状態において、ベース幅方向のベース体５側を各可動パネル３０Ａ，３０Ｂおよび各単位パネル４０Ａ〜４０Ｅの基端側とし、ベース幅方向のベース体５と反対側を各可動パネル３０Ａ，３０Ｂおよび各単位パネル４０Ａ〜４０Ｅの先端側とする。
【００３５】
各可動パネル３０Ａ，３０Ｂは、上下方向に起立する複数の単位パネル４０Ａ〜４０Ｅを備えている。複数の単位パネル４０Ａ〜４０Ｅの内の隣接するパネル同士は、実質的に、上下方向に沿う回動軸線Ｃ２〜Ｃ７を中心に相対回動可能に連結されている。複数の単位パネル４０Ａ〜４０Ｅは、上下方向から見て蛇腹状に屈伸動可能に連結されている。各単位パネル４０Ａ〜４０Ｅは、正面視（パネル平面視）で上下方向に長い長方形状をなしている。各単位パネル４０Ａ〜４０Ｅは、互いに同一部品とされている。各単位パネル４０Ａ〜４０Ｅは、互いに同一の上下方向高さに配置されている。以下、各単位パネル４０Ａ〜４０Ｅの正面視長方形状の短辺に沿う方向をパネル幅方向という。複数の単位パネル４０Ａ〜４０Ｅは、各可動パネル３０Ａ，３０Ｂの基端側から先端側へ順次並び、各単位パネルがパネル幅方向で互いに隣接して配置されている。
【００３６】
各可動パネル３０Ａ，３０Ｂは、折り畳み状態と展開状態との間で態様を変化可能である。
各可動パネル３０Ａ，３０Ｂの折り畳み状態において、複数の単位パネル４０Ａ〜４０Ｅは、蛇腹状に折り畳まれてベース奥行方向Ｙで積層された状態となる。このとき、各単位パネル４０Ａ〜４０Ｅは、パネル幅方向をベース幅方向Ｘに向けている。
各可動パネル３０Ａ，３０Ｂの展開状態において、複数の単位パネル４０Ａ〜４０Ｅは、ベース幅方向Ｘに並ぶように大きく展開される。このとき、各単位パネル４０Ａ〜４０Ｅは、上下方向から見て鈍角状に屈曲して緩やかに蛇行しながら並び、全体的に概ねベース幅方向Ｘに延びている。
【００３７】
複数の単位パネル４０Ａ〜４０Ｅの内、最も基端側に位置する第一パネル４０Ａは、基端部の上下端部がベース体５の上下パネル支持部２２に、上下方向に沿う基端回動軸を介して回動可能に支持されている。第一パネル４０Ａの先端部には、第二パネル４０Ｂの基端部が、上下方向から見て屈伸動可能に連結されている（実質的に、上下方向に沿う回動軸線Ｃ２を中心に回動可能に連結されている。）。以下同様に、第三〜第五パネル４０Ｃ〜４０Ｅが上下方向から見て屈伸動可能に連結されている。複数の単位パネル４０Ａ〜４０Ｅの内、最も先端側に位置する第五パネル４０Ｅを先端パネル４０Ｅということがある。
【００３８】
先端パネル４０Ｅの先端部には、各可動パネル３０Ａ，３０Ｂの折り畳み操作時（閉操作時）および展開操作時（開操作時）に使用者が把持する操作部としての取っ手４９が設けられている。取っ手４９は、各可動パネル３０Ａ，３０Ｂの開閉動作を阻害しない位置であれば、先端パネル４０Ｅの先端部に限らず、基端部であったり基端部および先端部の間の中間部（中央部に限らない）に設けてもよい。なお、各支柱２０にも使用者が把持する取っ手２１が設けられている。
【００３９】
図２、図７を参照し、一対の支柱２０の間には、正面視で上下方向に長い長方形状の背面パネル５０が取り付けられている。背面パネル５０の上下方向寸法は、各可動パネル３０Ａ，３０Ｂと同等の上下方向寸法とされている。背面パネル５０のパネル幅方向寸法は、各単位パネル４０Ａ〜４０Ｅのパネル幅寸法の二倍を超える程度とされている。背面パネル５０の正面視長方形状の両長辺部は、一対の支柱２０にそれぞれ支持、固定されている。以下、背面パネル５０の厚さ方向一側（収容領域側、図ではベッドＢ側）のパネル面を表面、厚さ方向他側のパネル面を裏面とする。ベース体５における背面パネル５０の裏面側には、種々のオプション部品ＯＰが取り付け可能とされている。
【００４０】
各可動パネル３０Ａ，３０Ｂの展開状態において、厚さ方向一側（背面パネル５０の表面と同側）のパネル面を表面、厚さ方向他側（背面パネル５０の裏面と同側）のパネル面を裏面とする。各可動パネル３０Ａ，３０Ｂの折り畳み状態において、第一パネル４０Ａおよび第二パネル４０Ｂは裏面同士を対向させ、第二パネル４０Ｂおよび第三パネル４０Ｃは表面同士を対向させ、第三パネル４０Ｃおよび第四パネル４０Ｄは裏面同士を対向させ、第四パネル４０Ｄおよび第五パネル４０Ｅは表面同士を対向させる。蛇腹状に折り畳まれた各可動パネル３０Ａ，３０Ｂは、第一パネル４０Ａの表面を背面パネル５０の表面に対向させるように基端回動軸回りに回動し、背面パネル５０の表面側の収容領域に収容される。図中符号Ｃ１は基端回動軸の中心軸線（基端回動軸線）を示す。
【００４１】
パネル幅方向で隣接する一対の単位パネルは、各可動パネル３０Ａ，３０Ｂの折り畳み状態において、パネル面同士を対向させるように屈曲する。このとき、対向するパネル面同士のなす角度は０°となる。前記一対の単位パネルは、各可動パネル３０Ａ，３０Ｂの展開状態において、前記対向するパネル面同士のなす角を広げるように伸長する。このとき、対向していたパネル面同士のなす角度は最大１８０°となる。
【００４２】
前記一対の単位パネル間の関節部分は、連結する一対の単位パネルを、最大１８０°開くまで回動させ、１８０°を越える回動は規制する。前記関節部分は、例えば折り畳み時に対向するパネル面に沿うように配置されたヒンジ（いわゆる弾性ヒンジを含む）である。
【００４３】
図３を参照し、各キャスター５５Ａ〜５５Ｃは、上下方向に延びるシャフト５６と、シャフト５６の下端部に設けられた車輪５７と、を有している。各キャスター５５Ａ〜５５Ｃのシャフト５６は、第二パネル４０Ｂ、第四パネル４０Ｄおよび第五パネル４０Ｅの下端部に支持されている。各キャスター５５Ａ〜５５Ｃは、シャフト５６の軸回りに旋回可能である。車輪５７の回転軸は、シャフト５６の軸方向視（上下方向視）でシャフト５６の中心軸線に対してオフセットしている。各キャスター５５Ａ〜５５Ｃは、脚体１０が床面Ｆに沿って移動しようとすると、シャフト５６に対して車輪５７の接地点を脚体１０の移動方向と反対側に位置させるように、シャフト５６回りに回転する。脚用キャスター１３は、床面Ｆに対する車輪５７の回転を規制するロック機構を有している。
【００４４】
図７を参照し、各単位パネル４０Ａ〜４０Ｅの下端部には、パネル幅方向の両端部およびこれら両端部の間（中間部）の二か所に、それぞれキャスター取付部６１が設けられている。これら複数のキャスター取付部６１は、例えばパネル幅方向で等間隔に並んで配置されている。各単位パネル４０Ａ〜４０Ｅにおける各キャスター５５Ａ〜５５Ｃを取り付ける「端部」とは、パネル幅方向で並ぶ複数のキャスター取付部６１の内、両端部に位置するキャスター取付部６１により規定される。例えば、前記「端部」は、取り付けたキャスター５５Ａがシャフト５６回りに旋回した際に、キャスター５５Ａの旋回軌跡内に各単位パネル４０Ａ〜４０Ｅのパネル幅方向の末端が入る範囲である。各単位パネル４０Ａ〜４０Ｅの上下端部におけるパネル幅方向の両端部には、第一パネル４０Ａとして使用されるときに用いられる被軸支部６２が設けられている。上下の被軸支部６２は、第一パネル４０Ａとして使用されるときに、上下のパネル支持部２２にそれぞれ基端回動軸を介して回動可能に支持される。
【００４５】
各可動パネル３０Ａ，３０Ｂを両開きにして大きく展開するパーティション１において、各可動パネル３０Ａ，３０Ｂの展開状態の基端側にもキャスター５５Ａを配置するために、図の例では、先端パネル４０Ｅの先端部のキャスター５５Ｃのみならず、第二および第四パネル４０Ｂ，４０Ｄにもキャスター５５Ａ，５５Ｂを設けている。これらのキャスター５５Ａ〜５５Ｃは、図４、図７に示すように、各可動パネル３０Ａ，３０Ｂの折り畳み状態において、互いにパネル幅方向の位置をずらすように配置されている。
【００４６】
各キャスター５５Ａ〜５５Ｃは、シャフト５６回りに回転したときにも他のキャスター５５Ａに干渉しないように、相互に離間して配置されている。これにより、キャスター５５Ａ〜５５Ｃ同士が干渉して各可動パネル３０Ａ，３０Ｂの折り畳みを阻害することを抑止している。第二パネル４０Ｂに設けるキャスター５５Ａは、第二パネル４０Ｂの中間部における基端側のキャスター取付部６１に取り付けられている。第四パネル４０Ｄに設けるキャスター５５Ｂは、第四パネル４０Ｄの中間部における先端側のキャスター取付部６１に取り付けられている。
【００４７】
次に、図８〜図１１を参照し、各可動パネル３０Ａ，３０Ｂを折り畳み状態から展開する際の各可動パネル３０Ａ，３０Ｂの動きについて説明する。以下、一方の可動パネル３０Ａの展開について説明するが、他方の可動パネル３０Ｂの展開も同様とする。
【００４８】
まず、図８に示すように、使用者が取っ手４９を把持し、可動パネル３０Ａの先端パネル４０Ｅを回動（展開）させる。このとき、先端パネル４０Ｅの先端部をベース幅方向外側（展開方向）に移動させるように、先端パネル４０Ｅをその基端部を中心に回動させる。先端パネル４０Ｅにおけるベース幅方向Ｘで脚杆１２と反対側に位置する先端部に設けたキャスター５５Ｃは、先端パネル４０Ｅがベース幅方向Ｘで脚杆１２側に位置する基端部を中心に回動した際、脚杆１２を大きく迂回して移動する。このため、先端パネル４０Ｅのキャスター５５Ｃが脚杆１２に干渉することはない。なお、本実施形態では、各単位パネル４０Ａ〜４０Ｅにおけるパネル幅方向の寸法は、脚杆１２における基部１１からの延出長さよりも大である。
【００４９】
先端パネル４０Ｅ（第五パネル４０Ｅ）を最大展開角度（１８０°）近くまで回動させると（図９参照）、続いて第四パネル４０Ｄが、ベース幅方向Ｘで脚杆１２と反対側に位置する基端部を中心に回動する。このとき、第四パネル４０Ｄの先端部は展開方向に引かれているので、第四パネル４０Ｄが回動しようとすると、第三パネル４０Ｃの先端部が展開方向に引かれ、もって第三パネル４０Ｃも回動を開始する。
その後、第三パネル４０Ｃの展開角度が増加すると（図１０参照）、続いて第二パネル４０Ｂが、ベース幅方向Ｘで脚杆１２と反対側に位置する基端部を中心に回動し、併せて第一パネル４０Ａも回動を開始する。
【００５０】
第三パネル４０Ｃの展開角度が増加したとき、第三パネル４０Ｃの基端部および第二パネル４０Ｂの先端部が脚杆１２の延出先端部に接近する。さらに第三パネル４０Ｃを展開方向に開くと、第三パネル４０Ｃの基端部および第二パネル４０Ｂの先端部が脚杆１２の延出先端部の上方を通過する（図１１参照）。このとき、第三パネル４０Ｃにはキャスター５５Ａを設けておらず、かつ第二パネル４０Ｂに設けたキャスター５５Ａは第二パネル４０Ｂの先端部を避けた配置とされているので、キャスター５５Ａが脚杆１２に干渉することはない。そして、可動パネル３０Ａの基端側に位置する第一パネル４０Ａおよび第二パネル４０Ｂにおいて、第二パネル４０Ｂにのみ一つのキャスター５５Ａを設けているので、可動パネル３０Ａにおける操作部から遠い基端側でのキャスター５５Ａの脚杆１２への干渉を抑え、可動パネル３０Ａの展開作業を容易かつスムーズにする。
【００５１】
次に、図１２、図１３を参照し、各可動パネル３０Ａ，３０Ｂを展開状態から折り畳む際の各可動パネル３０Ａ，３０Ｂの動きについて説明する。以下、一方の可動パネル３０Ａの折り畳みについて説明するが、他方の可動パネル３０Ｂの折り畳みも同様とする。
【００５２】
まず、図１２に示すように、使用者が取っ手４９を把持して可動パネル３０Ａを先端パネル４０Ｅ側から順に蛇腹状に折り畳む。このとき、第二パネル４０Ｂ、第四パネル４０Ｄおよび第五パネル４０Ｅに設けたキャスター５５Ａ〜５５Ｃは、可動パネル３０Ａの折り畳み状態において互いにパネル幅方向の位置をずらして干渉を避けているので、各キャスター５５Ａ〜５５Ｃが可動パネル３０Ａの折り畳みを阻害することはない。
【００５３】
先端パネル４０Ｅ（第五パネル４０Ｅ）から第二パネル４０Ｂまで折り畳んだ後、第一パネル４０Ａを回動させつつ全ての単位パネル４０Ａ〜４０Ｅを収容領域に移動させる際、第三パネル４０Ｃの基端部および第二パネル４０Ｂの先端部が脚杆１２の延出先端部の上方を通過する（図１３参照）。このとき、第三パネル４０Ｃにはキャスター５５Ａを設けておらず、かつ第二パネル４０Ｂに設けたキャスター５５Ａは第二パネル４０Ｂの先端部を避けた配置とされているので、キャスター５５Ａが脚杆１２に干渉することはない。そして、可動パネル３０Ａの基端側に位置する第一パネル４０Ａおよび第二パネル４０Ｂにおいて、第二パネル４０Ｂにのみ一つのキャスター５５Ａを設けているので、部品点数の増加を抑えつつ、可動パネル３０Ａの折り畳み作業を容易かつスムーズにする。
【００５４】
なお、可動パネル３０Ａの基端側に位置する第一パネル４０Ａおよび第二パネル４０Ｂにおいて、第一パネル４０Ａにキャスター５５Ａを設けてもよい。この場合、基端回動軸線Ｃ１からキャスター５５Ａまでの距離（シャフト５６回りの回転領域を含む）が、基端回動軸線Ｃ１から脚杆１２の延出先端部の外縁までの距離よりも大となるように、キャスター５５Ａを配置する。この配置は、第一パネル４０Ａにおけるパネル幅方向の寸法が、脚杆１２における基部１１からの延出長さよりも大であるときに可能である。一方、例えば第一パネル４０Ａの基端部を支持するパネル支持部２２が、脚杆１２の延出方向基端側ではなく先端側に配置される場合、第一パネル４０Ａにおけるパネル幅方向の寸法が、脚杆１２における基部１１からの延出長さよりも小であることも有り得る。そして、第一パネル４０Ａにキャスター５５Ａを設ける場合、上記キャスター５５Ａの配置により、キャスター５５Ａの脚杆１２への干渉が抑えられ、かつ各可動パネル３０Ａ，３０Ｂの展開作業および折り畳み作業が容易かつスムーズになる。
【００５５】
以上説明したように、本実施形態のパーティション１は、床上に置かれるベース体５と、ベース体５が区画する収容領域に折り畳み状態で収容可能であり、かつ前記収容領域から引き出されて展開可能であり、さらに複数のキャスター５５Ａ〜５５Ｃによって床上を移動可能な一対の可動パネル３０Ａ，３０Ｂと、を備えている。
ベース体５は、床面Ｆに沿うように配置される脚体１０を備えている。
脚体１０は、ベース幅方向Ｘに延びる基部１１と、少なくとも基部１１のベース幅方向Ｘの一端部からベース幅方向Ｘと交差するベース奥行方向Ｙに延びる脚杆１２と、を備えている。
各可動パネル３０Ａ，３０Ｂは、相互に折り畳み可能に連結される複数の単位パネル４０Ａ〜４０Ｅを備えている。
脚杆１２よりも基部１１側の領域を、各可動パネル３０Ａ，３０Ｂを折り畳み状態で収容可能な収容領域とし、脚杆１２よりも基部１１と反対側の領域を、各可動パネル３０Ａ，３０Ｂが展開可能な展開領域とする。
各可動パネル３０Ａ，３０Ｂの展開状態において、ベース体５側を基端側とし、ベース体５と反対側を先端側としたとき、各可動パネル３０Ａ，３０Ｂの複数の単位パネル４０Ａ〜４０Ｅの内、最も基端側に位置する第一パネル４０Ａの基端部は、ベース体５のパネル支持部２２に、上下方向に沿う基端回動軸線Ｃ１を中心に回動可能に支持され、第一パネル４０Ａの先端部には、第一パネル４０Ａの先端側に隣接する第二パネル４０Ｂの基端部が、上下方向に沿う回動軸線Ｃ２を中心に回動可能に連結されている。
そして、第一パネル４０Ａにおける基端回動軸線Ｃ１から脚杆１２の延出先端部までの距離よりも離間した位置、および第二パネル４０Ｂにおける先端部を避けた位置、の少なくとも一方にキャスター５５Ａが配置されている。
【００５６】
この構成によれば、第一パネル４０Ａにキャスター５５Ａを設ける場合、基端回動軸線Ｃ１からキャスター５５Ａまでの距離が、基端回動軸線Ｃ１から脚杆１２の延出先端部までの距離よりも大となるように、各可動パネル３０Ａ，３０Ｂにキャスター５５Ａを配置するので、第一パネル４０Ａが基端回動軸線Ｃ１を中心に回動した際に、キャスター５５Ａが脚杆１２に干渉しない配置となる。第二パネル４０Ｂにキャスター５５Ａを設ける場合、第二パネル４０Ｂの先端部は、各可動パネル３０Ａ，３０Ｂの展開操作時（開操作時）および折り畳み操作時（閉操作時）の何れにも、脚杆１２の延出先端部に接近することから、第二パネル４０Ｂの先端部を避けてキャスター５５Ａを配置することで、各可動パネル３０Ａ，３０Ｂの展開操作時および折り畳み操作時の何れにも、キャスター５５Ａが脚杆１２に干渉しない配置となる。
このように、各可動パネル３０Ａ，３０Ｂを開閉する際にキャスター５５Ａと脚杆１２との干渉を避けることが可能となるので、各可動パネル３０Ａ，３０Ｂの先端部から基端部にかけて複数のキャスター５５Ａ〜５５Ｃを配置しながら、各可動パネル３０Ａ，３０Ｂの展開方向と脚杆１２の延伸方向とが交差する場合にも、各可動パネル３０Ａ，３０Ｂをスムーズに開閉可能なパーティション１を提供することができる。
【００５７】
また、第一パネル４０Ａおよび第二パネル４０Ｂの何れか一方に一つのキャスター５５Ａを設けている。
この場合、脚杆１２に近く当たりやすい第一パネル４０Ａ及び第二パネル４０Ｂのキャスター数を減らし、各可動パネル３０Ａ〜３０Ｂの開閉時にキャスター５５Ａが脚杆１２に当たり難くなる。一方、各可動パネル３０Ａ，３０Ｂにおけるベース体５側の第一パネル４０Ａ及び第二パネル４０Ｂのどちらかにキャスター５５Ａを設けることで、各可動パネル３０Ａ，３０Ｂの操作部（取っ手４９）から遠いベース体５側の動作が安定する。また、ベース体５のパネル支持部２２に各可動パネル３０Ａ，３０Ｂから入力される荷重が小さくなり、ベース体５の損耗を小さくすることが出来る。
【００５８】
また、ベース体５は、ベース幅方向Ｘにおける脚杆１２を備える端部に、各可動パネル３０Ａ，３０Ｂの基端部を支持するパネル支持部２２を備えている。
この場合、パーティション１の使用時には各可動パネル３０Ａ，３０Ｂをベース幅方向で脚杆１２よりもベース体５の外側に大きく展開し、パーティション１の非使用時には一対の各可動パネル３０Ａ，３０Ｂをベース幅方向で脚杆１２よりもベース体５の内側にコンパクトに収容することができる。各可動パネル３０Ａ，３０Ｂを大きく展開するには、ベース体５のパネル支持部２２は、展開領域の近くにあることが望ましい。一方、各可動パネル３０Ａ，３０Ｂをコンパクトに収容するには、ベース体５のパネル支持部２２は、収容領域の近くにあることが望ましい。これらを両立させるには、パネル支持部２２は、展開領域と収容領域との間にあることが望ましい。
【００５９】
また、各可動パネル３０Ａ，３０Ｂの折り畳み状態において、複数の単位パネル４０Ａ〜４０Ｅは、蛇腹状に折り畳まれてベース奥行方向Ｙで積層され、各可動パネル３０Ａ，３０Ｂを構成する複数の単位パネル４０Ａ〜４０Ｅの数は奇数枚であり、各可動パネル３０Ａ，３０Ｂの複数の単位パネル４０Ａ〜４０Ｅの内、最も基端側に位置する第一パネル４０Ａは、ベース幅方向Ｘでパネル支持部２２から基部１１側へ延び、最も先端側に位置する先端パネル４０Ｅは、ベース幅方向Ｘで脚杆１２側から基部１１側へ延びている。
【００６０】
この場合、各可動パネル３０Ａ，３０Ｂを構成する奇数枚の単位パネル４０Ａ〜４０Ｅは、蛇腹状に折り畳まれた際、第一パネル４０Ａおよび先端パネル４０Ｅの何れも、脚杆１２側から基部１１側へ延びる配置となる。この各可動パネル３０Ａ，３０Ｂを展開すると、第一パネル４０Ａから先端パネル４０Ｅまでの全ての単位パネル４０Ａ〜４０Ｅが、ベース体５の脚杆１２よりも外側に広がる展開領域へ延びる配置が可能であり、各可動パネル３０Ａ，３０Ｂが大きく展開可能となる。各可動パネル３０Ａ，３０Ｂを大きく展開した状態で安定させるためには、各可動パネル３０Ａ，３０Ｂの先端部にキャスター５５Ｃを設けることが望ましい。このとき、複数の単位パネル４０Ａ〜４０Ｅの数が奇数枚であれば、各可動パネル３０Ａ，３０Ｂの先端部のキャスター５５Ｃは、各可動パネル３０Ａ，３０Ｂの折り畳み状態において、先端パネル４０Ｅにおける脚杆１２から離れた先端部に配置される。このため、各可動パネル３０Ａ，３０Ｂを展開する際に先端部のキャスター５５Ｃが脚杆１２に干渉し難くなる。
【００６１】
また、脚体１０は、ベース幅方向Ｘに延びる基部１１としての接続杆１１と、接続杆１１のベース幅方向Ｘの両端部からベース奥行方向Ｙに延びる一対の脚杆１２と、を備え、可動パネル３０Ａ，３０Ｂは、ベース幅方向Ｘで一対設けられている。
この場合、２本の脚杆１２を備える脚体１０のベース幅方向両側から、一対の可動パネル３０Ａ，３０Ｂをそれぞれ展開することが可能であり、かつ２本の脚杆１２の間に各可動パネル３０Ａ，３０Ｂを折り畳んで収容可能となるため、パーティション１の使用時には各可動パネル３０Ａ，３０Ｂを大きく展開し、パーティション１の非使用時には各可動パネル３０Ａ，３０Ｂをコンパクトに収容することができる。
【００６２】
また、接続杆１１の上方に、ベース幅方向Ｘで接続杆１１の長さと同等の幅を有するとともに、各可動パネル３０Ａ，３０Ｂと同等の高さを有して上下方向に起立する背面パネル５０を備えている。
この場合、各可動パネル３０Ａ，３０Ｂを展開した際、２つの展開された各可動パネル３０Ａ，３０Ｂの間に、これらと同等高さの背面パネル５０が配置されるため、全体としてベース幅方向Ｘに長い距離で仕切り（目隠し）を設けることが可能となり、利便性を向上させることができる。
【００６３】
なお、本発明の技術的範囲は前記実施の形態に限定されるものではなく、本発明の趣旨を逸脱しない範囲において種々の変更を加えることが可能である。
例えば、実施形態では、ベース体５のベース幅方向両側に一対の可動パネル３０Ａ，３０Ｂを設けているが、ベース幅方向一側のみに可動パネルを設けてもよい。この場合、ベース体５のベース幅方向Ｘの幅を折り畳み状態の可動パネルのベース幅方向Ｘの幅と同等に設けてもよい。
脚体１０は、接続杆１１（基部１１）の両端にそれぞれ脚杆１２を設けているが、基部１１の一端のみに脚杆１２を設けてもよい。また、基部１１と脚杆１２とを一体形成してもよい。脚杆１２の延び方向が基部１１の延び方向と直交する構成に限らず、脚杆１２の延び方向が基部１１の延び方向と直角以外の角度で交差する構成でもよい。この場合、脚杆１２の延び方向に沿う基準線で収容領域と展開領域とを区画してもよいが、ベース幅方向Ｘにおいて、脚杆１２の延出先端部等の任意個所の位置を境に、収容領域と展開領域とを区画してもよい。この区画の仕方は、脚杆１２および基部１１が直線状でない場合にも有効である。
【００６４】
実施形態では、可動パネルを構成する単位パネルとして５枚の単位パネルを備えているが、可動パネルを構成する単位パネルの数は適宜変更可能である。例えば、図１４に示すように、３枚の単位パネル４０Ａ〜４０Ｃを備えた可動パネル３０Ａ’，３０Ｂ’を備えるパーティション１’としたり、図１５に示すように、７枚の単位パネル４０Ａ〜４０Ｇを備えた可動パネル３０Ａ”，３０Ｂ”を備えるパーティション１”としてもよい。図１４では、第二パネル４０Ｂおよび第三パネル４０Ｃにそれぞれキャスター５５Ｂが取り付けられ、図１５では、第一パネル４０Ａ、第三パネル４０Ｃ、第四パネル４０Ｄ、第六パネル４０Ｆおよび第七パネル４０Ｇにそれぞれキャスター５５Ａ〜５５Ｅが取り付けられている。図１５中符号Ｃ６，Ｃ７は第六パネル４０Ｆおよび第七パネル４０Ｇの各基端部における回動軸線を示す。
【００６５】
複数の単位パネル４０Ａ〜４０Ｅは、一方のパネル面に沿うように配置されたヒンジで連結される構成に限らない。各単位パネル４０Ａ〜４０Ｅ間の関節部分は、例えば二つの回動軸を有して可動域を広げたいわゆる二重関節でもよい。また、図１６、図１７に示すパーティション１０１の可動パネル１３０ように、各単位パネル４０Ａ’〜４０Ｅ’のパネル幅方向の一端部をパネル厚さ方向で起立させる等して、折り畳み時に複数の単位パネル４０Ａ’〜４０Ｅ’を積層可能としてもよい。
【００６６】
可動パネル３０Ａ，３０Ｂを構成する単位パネルの数は、奇数枚に限らず偶数枚でもよい。この場合、可動パネル３０Ａ，３０Ｂの折り畳み状態において、第一パネル４０Ａの先端側と先端パネル４０Ｅの先端側とが互いに逆向きになってもよい。
可動パネルの基端側のキャスターは、展開時および折り畳み時に脚杆１２および他キャスターと干渉しない配置であれば、キャスター数を増減させてもよい。ただし、部品点数削減のため、複数の単位パネルの内、キャスターを無くした単位パネルを適宜設定するとよい。
【００６７】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００６８】
１，１’，１”，１０１  パーティション
５  ベース体
１０  脚体
１１  基部、接続杆
１２  脚杆
２２  パネル支持部
４０Ａ  第一パネル（単位パネル）
４０Ｂ  第二パネル（単位パネル）
４０Ｃ  第三パネル（単位パネル、先端パネル）
４０Ｄ  第四パネル（単位パネル）
４０Ｅ  第五パネル（単位パネル、先端パネル）
４０Ｆ  第六パネル（単位パネル）
４０Ｇ  第七パネル（単位パネル、先端パネル）
５０  背面パネル
５５Ａ〜５５Ｇ  キャスター
Ｃ１  基端回動軸線
Ｃ２〜Ｃ７  回動軸線
Ｘ  ベース幅方向（第一方向）
Ｙ  ベース奥行方向（第二方向）
【図１】
2020070570.tif 000003
【図２】
2020070570.tif 000004
【図３】
2020070570.tif 000005
【図４】
2020070570.tif 000006
【図５】
2020070570.tif 000007
【図６】
2020070570.tif 000008
【図７】
2020070570.tif 000009
【図８】
2020070570.tif 000010
【図９】
2020070570.tif 000011
【図１０】
2020070570.tif 000012
【図１１】
2020070570.tif 000013
【図１２】
2020070570.tif 000014
【図１３】
2020070570.tif 000015
【図１４】
2020070570.tif 000016
【図１５】
2020070570.tif 000017
【図１６】
2020070570.tif 000018
【図１７】
2020070570.tif 000019